(57)【要約】【課題】  使用者が犯罪行為から逃げる等の動作中においても、的確にブザー音を発させることができる携帯用防犯ブザーを提供する。【解決手段】  防犯ブザー本体２と、前記防犯ブザー本体内に設けられた、ブザー音を発生させるブザー９と、前記ブザーを動作させるため駆動回路８と、前記駆動回路を動作させるための電源としての電池７と、防犯ブザー本体が衣服から取り外されたことを検知する検出スイッチ５とを備え、防犯ブザー本体２が衣服から取り外されたことを検出スイッチ５によって検出し、ブザー音を発する。【選択図】  図２
0003104228.tif 000002
【実用新案登録請求の範囲】
【請求項１】
衣服に取り付けるための固定手段を備えた携帯用防犯ブザーにおいて、
防犯ブザー本体と、前記防犯ブザー本体内に設けられた、ブザー音を発生させるブザーと、前記ブザーを動作させるための駆動回路と、前記駆動回路を動作させるための電源としての電池と、防犯ブザー本体が衣服から取り外されたことを検知する検出スイッチとを備え、
防犯ブザー本体が衣服から取り外されたことを検出スイッチによって検出し、ブザー音を発するように構成されていることを特徴とする携帯用防犯ブザー。
【請求項２】
前記固定手段はクリップであって、前記クリップが回動可能に設けられた防犯ブザー本体の裏板と、前記裏板とクリップとの間に取り付けられ、前記クリップを裏板方向に常時附勢しているバネと、前記裏板に、クリップの先端部が進入可能に形成された開口部と、前記クリップの先端部が、前記開口部に進入したことを検出する検知スイッチとを備え、
防犯ブザー本体が衣服から取り外され、クリップの先端部が開口部に進入したことを検出スイッチによって検出し、ブザー音を発するように構成されていることを特徴とする請求項１に記載された携帯用防犯ブザー。
【請求項３】
前記固定手段はピンであって、前記防犯ブザー本体の裏側に取り付けられた裏板と、前記裏板にピンが挿入可能に形成された貫通孔と、前記ピンが前記貫通孔に挿入されていないことを検出する検知スイッチとを備え、
防犯ブザー本体が衣服から取り外され、前記ピンが貫通孔にないことを検出スイッチによって検出し、ブザー音を発するように構成されていることを特徴とする請求項１に記載された携帯用防犯ブザー。
【考案の詳細な説明】
【技術分野】
【０００１】
この考案は、携帯用防犯ブザーに関し、例えば、ブローチ、名札、バッチ等に内蔵された、衣服に装着する携帯用防犯ブザーに関する。
【背景技術】
【０００２】
近年、強盗、暴漢、痴漢等の犯罪行為に遭遇した際、身を守るために、防犯ブザーを携帯するようになってきている。この携帯用防犯ブザーの概略構成の一例を、実用新案登録第３０９６１１９号に示された携帯用防犯ブザーを図８に示すと共に、その図に基づいて説明する。
図８に示すように、この携帯用防犯ブザー３０は、ピン等の回路開放具３１と、前記回路開放具３１が着脱可能に装着されて、前記回路開放具３１の引抜によりブザー駆動回路が閉じて、ブザー音を発するブザー駆動手段３２とを備えている。また、前記回路開放具３１には、引抜き用ストラップ３３が取り付けられている。尚、図中、符号３４は、鞄、バック等に吊り下げるための、吊下げ用ストラップである。
【０００３】
このように構成された携帯用防犯ブザー３０は、一般的に鞄、バック等に吊下げ用ストラップ３４を介して吊り下げられている。そして、使用者に危険が迫った際、使用者が引抜き用ストラップ３３を引抜くことによって、回路開放具３１は引抜かれ、ブザー音を発する。
【０００４】
【特許文献１】実用新案登録第３０９６１１９号
【考案の開示】
【考案が解決しようとする課題】
【０００５】
ところで、前記したように、従来の携帯用防犯ブザーは、鞄、バック等に吊り下げられ、引抜き用ストラップ（回路開放具）を引抜くことにより、ブザー音を発するように構成されている。
そのため、使用者が犯罪行為から逃げる等の動作中には、鞄、バック等に吊り下げられた防犯ブザーにあっては引抜き用ストラップが揺動し、使用者が回路開放具を引抜くことは困難であり、携帯用防犯ブザーとしての本来の目的を達成しないという課題があった。
【０００６】
本考案は上記課題を解決するためになされたものであり、使用者が犯罪行為から逃げる等の動作中においても、的確にブザー音を発させることができる携帯用防犯ブザーを提供することを目的とするものである。
【課題を解決するための手段】
【０００７】
本考案は上記目的を達成するためになされたものであり、本発明にかかる携帯用防犯ブザーは、衣服に取り付けるための固定手段を備えた携帯用防犯ブザーにおいて、防犯ブザー本体と、前記防犯ブザー本体内に設けられた、ブザー音を発生させるブザーと、前記ブザーを動作させるため駆動回路と、前記駆動回路を動作させるための電源としての電池と、防犯ブザー本体が衣服から取り外されたことを検知する検出スイッチとを備え、防犯ブザー本体が衣服から取り外されたことを検出スイッチによって検出し、ブザー音を発するように構成されていることを特徴としている。
【０００８】
このように、防犯ブザー本体が衣服から取り外されたことを検出スイッチによって検出し、ブザー音を発するように構成されているため、使用者が犯罪行為から逃げる等の動作中等においても、防犯ブザーを衣服から取り外せば良いという簡単な動作で、防犯ブザーを駆動させることができため、的確に防犯ブザーを動作させることができる。
【０００９】
ここで、前記固定手段はクリップであって、前記クリップが回動可能に設けられた防犯ブザー本体の裏板と、前記裏板とクリップとの間に取り付けられ、前記クリップを裏板方向に常時附勢しているバネと、前記裏板に、クリップの先端部が進入可能に形成された開口部と、前記クリップの先端部が、前記開口部に進入したことを検出する検知スイッチとを備え、防犯ブザー本体が衣服から取り外され、クリップの先端部が開口部に進入したことを検出スイッチによって検出し、ブザー音を発するように構成されていることが望ましい。
このように、クリップタイプの固定手段を備えた携帯用防犯ブザーの場合には、クリップの先端部が、裏板の開口部に進入したことを検出スイッチによって検出することによって、ブザー音を発生させることができる。
【００１０】
また、前記固定手段はピンであって、前記防犯ブザー本体の裏側に取り付けられた裏板と、前記裏板にピンが挿入可能に形成された貫通孔と、前記ピンが前記貫通孔に挿入されていないことを検出する検知スイッチとを備え、防犯ブザー本体が衣服から取り外され、前記ピンが貫通孔にないことを検出スイッチによって検出し、ブザー音を発するように構成されていることが望ましい。
このように、ピンタイプの固定手段を備えた携帯用防犯ブザーの場合には、ピンが裏板の貫通孔にないことを検出スイッチによって検出することによって、ブザー音を発生させることができる。
【考案の効果】
【００１１】
本考案によれば、防犯ブザー本体が衣服から取り外されたことを検出スイッチによって検出し、ブザー音を発するため、使用者が犯罪行為から逃げる等の動作中等においても、防犯ブザーを衣服から取り外せば良いという簡単な動作で、防犯ブザーを駆動させることができため、的確に防犯ブザーを動作させることができる。
【考案を実施するための最良の形態】
【００１２】
本考案にかかる携帯用防犯ブザーの第一の実施形態を図１乃至図３に基づいて説明する。尚、図１は、第一の実施形態の背面図、図２は第一の実施形態の断面図、図３は、第一の実施形態の回路ブロック図である。
この図１乃至図３に示した携帯用防犯ブザー１は、クリップタイプの防犯ブザーであって、この防犯ブザー本体２の裏面側には裏板２ａが取り付けられ、この裏板２ａにクリップ３が設けられている。即ち、このクリップ３は、裏板２ａと一体に形成された軸受け２ｂに支持された軸４を中心に回動可能に取り付けられている。
【００１３】
また、前記裏板２ａとクリップ３との間にはバネ６が取り付けられ、前記クリップ３を裏板方向に常時附勢している。
したがって、このクリップタイプの防犯ブザー１は、ポケット等の縁部を裏板２ａとクリップ３との間に挿入し、前記ポケットの縁部を裏板２ａとクリップ３とで、挟持することにより、衣服に固定される。
【００１４】
また、前記裏板２ａには開口部２ｃが設けられ、前記クリップ３の先端部３ａが進入可能に形成されている。また、この開口部２ｃには、検知スイッチ５が設けられている。
この検出スイッチ５は板状の端子５ａ，５ｂから構成され、クリップ３の先端部３ａが進入すると前記端子５ｂが変形し、端子５ａと端子５ｂとが電気的に接続するように構成されている。即ち、前記クリップ３の先端部３ａが、前記開口部２ｃに進入したことを検知スイッチ５が検知すると、後述するブザーの駆動回路が動作し、ブザー音を発するように構成されている。
【００１５】
更に、防犯ブザー本体２の内部には、電源としてのボタン電池７と、圧電ブザー９を動作させるため駆動回路が形成された回路基板８と、駆動回路（回路基板）８に電気的に接続された、クリップ３の先端部３ａを検出する前記検出スイッチ５が設けられている。なお、図示しないが、防犯ブザー本体２には、電源をＯＮ−ＯＦＦする電源スイッチが設けられている。
【００１６】
このように構成された、クリップタイプの防犯ブザー１にあっては、まず、ポケット等の縁部を裏板２ａとクリップ３との間に挿入し、前記ポケットの縁部を裏板２ａとクリップ３とで、挟持することにより、衣服に固定する。そして、電源スイッチを入れる。
そして、万が一、使用者が犯罪等の危険な行為に遭遇した際には、ポケットの縁部に装着されている防犯ブザー１を取り外す。防犯ブザー１がポケットの縁部から取り外されると、バネ６の反発力によりクリップ３は回動し、その先端部３ａは裏板２ａの開口部２ｃに進入する。クリップ３の先端部３ａが開口部２ｃに進入したことを、検知スイッチ５が検出すると、駆動回路８によって圧電ブザー９が駆動され、ブザー音を発生する。
【００１７】
このように、前記防犯ブザー１は、ポケットの縁部等から取り外されると動作し、ブザー音を発するように構成されている。
したがって、使用者が犯罪行為から逃げる等の動作中等においても、防犯ブザーが身に付けられ、しかもポケットの縁部等から取り外せば良いという簡単な動作で、防犯ブザーを駆動させることができため、的確に防犯ブザーを動作させることができる。
【００１８】
次に、本考案にかかる第二の実施形態について図４乃至図６に基づいて説明する。なお、図４は、本考案にかかる第二の実施形態の背面図、図５は、図４に示した第二の実施形態の断面図、図６は、第二の実施形態において用いられるピンの側面図である。
この図４乃至図６に示した携帯用防犯ブザー１０は、ピンタイプの防犯ブザーであって、この防犯ブザー本体１２の裏面側には裏板１２ａが取り付けられ、この裏板１２ａには、ピン１３が挿入される貫通孔１２ｂが設けられている。
したがって、このピンタイプの防犯ブザー１０は、服地を介してピン１３を裏板１２ａの貫通孔１２ｂに挿入、係止することにより、衣服に固定される。
【００１９】
また、前記裏板１２ａの貫通孔１２ｂの近傍には、検知スイッチ１５が設けられ、ピン１３の有無が検知される。即ち、検知スイッチ１５として、板状の端子１５ａ，１５ｂが設けられている。板状の端子１５ａ，１５ｂのうち、少なくとも端子１５ａは弾性変形可能な材質で形成され、両者に外力が作用していない場合には、両者は接続（接触）状態になるように形成されている。
【００２０】
そして、前記ピン１３が貫通孔１２ｂに挿入されると、ピン１３の先端部が前記板状に端子１５ａを変形させ、両者を非接続状態にする。このように、板状の端子１５ａ，１５ｂが非接続状態の場合（ピンの「有」を検知スイッチ５が検知した場合）には、後述するブザー駆動回路は非動作となり、ブザー音を発しないように構成されている。
【００２１】
逆に、前記ピン１３の先端部が貫通孔１２ｂから抜かれると、前記板状に端子１５ａは元の状態に復元し、板状の端子１５ａ，１５ｂの両者は接続状態になる。このように、板状の端子１５ａ，１５ｂが接続状態の場合（ピンの「無」を検知スイッチ５が検知した場合）には、後述するブザーの駆動回路は動し、ブザー音を発するように構成されている。
【００２２】
更に、防犯ブザー本体１２の内部には、電源としてのボタン電池１７と、圧電ブザー１９を動作させるため駆動回路が形成された回路基板１８と、既に述べたように駆動回路（回路基板）１８に電気的に接続され、ピン１３の「有」「無」を検出する検出スイッチ１５が設けられている。
ここで、前記駆動回路は、前記したように、前記板状端子１５ａ，１５ｂが接続状態にある場合に、圧電ブザー１９が動作するように構成され、前記板状端子１５ａ，１５ｂが非接続状態にある場合に、圧電ブザー１９が動作しないように構成されている。なお、図示しないが、防犯ブザー本体１２には、電源をＯＮ−ＯＦＦする電源スイッチが設けられている。
【００２３】
このように構成された、ピンタイプの防犯ブザー１０にあっては、まず、服地を介してピン１３を裏板１２ａの貫通孔１２ｂに挿入、係止することにより、衣服に固定される。
その後、電源スイッチを入れる。そして、万が一、使用者が犯罪等の危険な行為に遭遇した際には、ピン１３で固定されている防犯ブザー１０を取り外す。防犯ブザー１０が服地から取り外されると、検出スイッチ１５の端子１５ａ，１５ｂが接触状態となる。このように、ピン１３が無いことを検出スイッチが検出１５すると、ブザーの駆動回路１８によって圧電ブザー１９が駆動され、ブザー音を発生する。
【００２４】
上記したように、前記防犯ブザー１０は、服地から取り外されると動作し、ブザー音を発するように構成されている。
したがって、使用者が犯罪行為から逃げる等の動作中等においても、防犯ブザーが身に付けられ、しかもポケットの縁部等から取り外せば良いという簡単な動作で、防犯ブザーを駆動させることができため、的確に防犯ブザーを動作させることができる。
【００２５】
なお、第一の実施形態にあっては、検出スイッチ５として、板状の端子５ａ，５ｂの場合を説明したが、図７に示すように検出スイッチ２５として、回路基板８に固定端子２５ａを設けると共に、ボタン電池７の電極に一端が固定され、他端が前記固定端子２５ａと接触する板状端子２５ｂを設けても良い。このように構成された防犯ブザー２０にあっては、前記した第一の実施形態と同様に、クリップ３の先端部３ａが進入すると前記端子２５ｂが変形し、端子２５ａと端子２５ｂとが電気的に接続し、ブザー音を発する。
また、上記実施形態にあっては、クリップタイプの携帯用防犯ブザー、ピンタイプの携帯用防犯ブザーについて説明したが、本考案は特にこれに限定されるものではなく、衣服に固定する固定手段を設け、衣服から携帯用防犯ブザーが取り外されたことが検出できるように構成されていれば良い。
【産業上の利用可能性】
【００２６】
本考案は携帯用の防犯ブザーに適用することができ、特に、ブローチ型、名札型、バッチ型等の携帯用防犯ブザーに適用することができる。
【図面の簡単な説明】
【００２７】
【図１】図１は、本考案にかかる第一の実施形態の背面図である。
【図２】図２は、図１に示した第一の実施形態の断面図である。
【図３】図３は、図１に示した回路基板に形成される電気回路の回路ブロック図である。
【図４】図４は、本考案にかかる第二の実施形態の背面図である。
【図５】図５は、図４に示した第二の実施形態の断面図である。
【図６】図６は、第二の実施形態において用いられるピンの側面図である。
【図７】図７は、第一の実施形態の変形例を示した断面図である。
【図８】図８は、従来の携帯用防犯ブザーを示す斜視図である。
【符号の説明】
【００２８】
１    防犯ブザー
２    防犯ブザー本体
２ａ  裏板
２ｃ  開口部
３    クリップ
３ａ  クリップ先端部
５    検出スイッチ
６    バネ
７    電池
８    駆動回路（回路基板）
９    ブザー（圧電ブザー）
１０    防犯ブザー
１２    防犯ブザー本体
１２ａ  裏板
１２ｂ  貫通孔
１３    ピン
１５    検出スイッチ
１７    電池（ボタン電池）
１８    駆動回路（回路基板）
１９    ブザー（圧電ブザー）
２０    防犯ブザー
２５    検出スイッチ
【図１】
0003104228.tif 000003
【図２】
0003104228.tif 000004
【図３】
0003104228.tif 000005
【図４】
0003104228.tif 000006
【図５】
0003104228.tif 000007
【図６】
0003104228.tif 000008
【図７】
0003104228.tif 000009
【図８】
0003104228.tif 000010